(57)【要約】【課題】効果的に遊技球の逆流を防止することができる遊技球揚送装置を提供する。【解決手段】レール部内に歯部が配置されたギア部３１およびラチェットギア部３３で構成し、ギア軸部２１に支持させて、揚送される遊技球が歯部３２に接触することによって回転するギア本体３０と、ラチェットギア部３３の爪歯部３４に接触される前方部４４、重心が置かれた後方部４５、および重心の位置よりも前方部４４側で係止軸部２２に支持される被支持孔４８を有し、ラチェットギア部３３の爪歯部３４間に形成された歯溝部に係止してギア本体３０が逆回転するのを防止する係止部材４０と、から逆流防止器具４を構成し、この逆流防止器具４を遊技球揚送装置に取り付け、ギア本体３０が逆回転する際、爪歯部３４を前方部４４に接触させることで係止軸部２２を軸に係止部材４０を後方部４５側に傾動させると共に、前方部４４に歯溝部３４を係止させる。【選択図】図４
2014213013.tif 000002
【特許請求の範囲】
【請求項１】
並列した複数のレール部が形成されたリフト部内を前記レール部に沿って揚送される遊技球が逆流することを防ぐための逆流防止器具が備えられた遊技球揚送装置において、
前記逆流防止器具が、
前記レール部が並列する方向に向けて備えられたギア軸部と、
前記レール部内に歯部が配置されたギア部、およびこのギア部の軸方向の側面に形成されたラチェットギア部から構成され、前記ギア軸部に支持されて、揚送される前記遊技球が前記歯部に接触されることによって回転させられるギア本体と、
前記ラチェットギア部の爪歯部間に形成された歯溝部に係止されて前記ギア本体が逆転するのを防止する係止部材と、
を有する、
ことを特徴とする遊技球揚送装置。
【請求項２】
前記係止部材が支持される係止軸部が前記逆流防止器具に備えられ、この係止軸部が、前記ギア軸部と平行に配置されると共に前記ギア軸部よりも前記リフト部から離れた位置に配置され、
前記係止部材が、前記爪歯部に接触される前方部、前記係止部材の重心が置かれた後方部、および前記重心の位置よりも前記前方部側で前記係止軸部に支持される被支持部を有し、
前記爪歯部が前記前方部に接触することで前記係止部材が前記係止軸部を軸に前記後方部側に傾動すると共に、前記前方部が前記歯溝部に係止されて、前記ギア本体が逆転するのが防止される、
ことを特徴とする請求項１に記載の遊技球揚送装置。
【請求項３】
前記後方部側に傾動した前記係止部材の前記後方部が接触することで、前記後方部側に傾動した前記係止部材の傾動範囲が規制される規制軸部が前記逆流防止器具に備えられ、この規制軸部が、前記係止軸部よりも前記リフト部から離れた位置に配置された、
ことを特徴とする請求項２に記載の遊技球揚送装置。
【請求項４】
前記ラチェットギア部の直径が前記ギア部の直径よりも小さく形成されると共に、前記爪歯部の数が前記ギア部の前記歯部の数よりも多く形成された、
ことを特徴とする請求項１から請求項３のいずれか１項に記載の遊技球揚送装置。
【請求項５】
前記逆流防止器具に複数の前記ギア本体と複数の前記係止部材とが並列して備えられ、前記ギア本体と前記係止部材とが前記レール部毎に配置された、
ことを特徴とする請求項１から請求項４のいずれか１項に記載の遊技球揚送装置。
【請求項６】
請求項１から請求項５のいずれか１項に記載の遊技球揚送装置に用いられる、
ことを特徴とする逆流防止器具。
【発明の詳細な説明】
【技術分野】
【０００１】
本発明は、遊技球を揚送する際に用いられる遊技球揚送装置および逆流防止器具に関するものである。
【背景技術】
【０００２】
遊技球揚送装置は、遊技機からアウトした遊技球を再び遊技機へ供給するために遊技球を揚送するものである。この遊技球揚送装置は、複数の遊技機が並列することによって構成された遊技機島に取り付けられる。
【０００３】
一般的な遊技球揚送装置として、下記特許文献１に記載の遊技球揚上装置がある。この遊技球揚上装置は遊技機島の下部に取り付けられ、歯の間でパチンコ玉を支持して揚上パイプに送り出す主ホイール、パチンコ球を整列させて遊技機島の上部に揚送する揚上パイプ、揚上パイプの内側に備えられたストッパが備えられている。各遊技機からアウトしたパチンコ玉が遊技球揚上装置に集められ、回転する主ホイールによって揚上パイプに搬送される。回転する主ホイールが停止した場合、主ホイールによって送り出される力が作用しなくなったパチンコ球は揚上パイプ内を落下しようとするが、ストッパによって塞き止められる。ストッパはトーションバネなどの弾性力により揚上パイプ内に突き出されてパチンコ球の通路を塞ぐ。
【先行技術文献】
【特許文献】
【０００４】
【特許文献１】特開２００１−１９０８１６号公報
【発明の概要】
【発明が解決しようとする課題】
【０００５】
しかし、上記した遊技球揚上装置は、ストッパがトーションバネなどの弾性力により揚上パイプ内に突き出される構成であるため、パチンコ球の運動量が大きい場合、その反発力によってトーションバネの弾性力が抑えられ、ストッパが揚上パイプ内に突き出されない場合がある。また、トーションバネなどが劣化して弾性力が低下した場合も同様の現象が起こる。したがって、揚上パイプの通路がストッパによって塞き止められずにパチンコ球が揚上パイプ内を落下する場合がある。
【０００６】
本発明は、上記の実情に鑑みて提案されたものである。すなわち、効果的に遊技球の逆流を防止することができる遊技球揚送装置の提供を目的とする。
【課題を解決するための手段】
【０００７】
上記目的を達成するために、本発明に係る遊技球揚送装置は、並列した複数のレール部が形成されたリフト部内を前記レール部に沿って揚送される遊技球が逆流することを防ぐための逆流防止器具が備えられた遊技球揚送装置において、前記逆流防止器具が、前記レール部が並列する方向に向けて備えられたギア軸部と、前記レール部内に歯部が配置されたギア部、およびこのギア部の軸方向の側面に形成されたラチェットギア部から構成され、前記ギア軸部に支持されて、揚送される前記遊技球が前記歯部に接触されることによって回転させられるギア本体と、前記ラチェットギア部の爪歯部間に形成された歯溝部に係止されて前記ギア本体が逆転するのを防止する係止部材と、を有する、ことを特徴としている。
【０００８】
本発明に係る遊技球揚送装置は、前記係止部材が支持される係止軸部が前記逆流防止器具に備えられ、この係止軸部が、前記ギア軸部と平行に配置されると共に前記ギア軸部よりも前記リフト部から離れた位置に配置され、前記係止部材が、前記爪歯部に接触される前方部、前記係止部材の重心が置かれた後方部、および前記重心の位置よりも前記前方部側で前記係止軸部に支持される被支持部を有し、揚送される前記遊技球によって前記ギア本体が回転させられる際、前記爪歯部が前記前方部に接触することで前記係止部材が前記係止軸部を軸に前記前方部側に傾動し、前記爪歯部が前記前方部を通過することで前記係止部材が前記係止軸部を軸に前記後方部側に傾動し、一方、前記爪歯部が前記前方部に接触することで前記係止部材が前記係止軸部を軸に前記後方部側に傾動すると共に、前記前方部が前記歯溝部に係止されて、前記ギア本体が逆転するのが防止される、ことを特徴としている。
【０００９】
本発明に係る遊技球揚送装置は、前記後方部側に傾動した前記係止部材の前記後方部が接触することで、前記後方部側に傾動した前記係止部材の傾動範囲が規制される規制軸部が前記逆流防止器具に備えられ、この規制軸部が、前記ギア軸部と平行に配置されると共に前記係止軸部よりも前記リフト部から離れた位置に配置された、ことを特徴としている。
【００１０】
本発明に係る遊技球揚送装置は、前記ラチェットギア部の直径が前記ギア部の直径よりも小さく形成されると共に、前記爪歯部の数が前記ギア部の前記歯部の数よりも多く形成された、ことを特徴としている。
【００１１】
本発明に係る遊技球揚送装置は、前記逆流防止器具に複数の前記ギア本体と複数の前記係止部材とが並列して備えられ、前記ギア本体と前記係止部材とが前記レール部毎に配置された、ことを特徴としている。
【００１２】
本発明に係る逆流防止装置は、上記した遊技球揚送装置に用いられる、ことを特徴としている。
【発明の効果】
【００１３】
本発明に係る遊技球揚送装置は上記した構成である。この構成により、遊技球が揚送される際、レール部内に配置された歯部が遊技球に接触されてギア本体が回転し、遊技球が逆流防止器具を通過する。一方、遊技球が逆流しようとする際、ラチェットギア部の歯溝部に係止部材が係止されてギア本体が逆転することが妨げられると共に、レール部内での遊技球の通路がギア部の歯部によって塞がれ、遊技球がレール部内で留められる。したがって、効果的に遊技球の逆流を防止することができる。
【００１４】
本発明に係る遊技球揚送装置は、係止部材が支持される係止軸部が逆流防止器具に備えられ、この係止軸部が、ギア軸部と平行に配置されると共にギア軸部よりもリフト部から離れた位置に配置され、係止部材が、爪歯部に接触される前方部、係止部材の重心が置かれた後方部、および重心の位置よりも前方部側で係止軸部に支持される被支持部を有している。
【００１５】
この構成により、揚送される遊技球によってギア本体が回転する際、ラチェットギア部の爪歯部が前方部に接触することにより、係止部材が係止軸部を軸に前方部側に傾動し、傾動した前方部をラチェットギア部の爪歯部が通過する。傾動した前方部からラチェットギア部の爪歯部が離れると、係止部材が係止軸部を軸に後方部側に傾動して元の位置に戻る。一方、ギア本体が逆転しようとする際、ラチェットギア部の爪歯部が前方部に接触することにより係止部材が係止軸部を軸に後方部側に傾動すると共に、前方部が歯溝部に係止される。
【００１６】
したがって、遊技球が揚送される際にギア本体が回転し、遊技球が逆流しようとする際にギア本体が逆転することが防止され、効果的に遊技球の逆流を防止することができる。
【００１７】
本発明に係る遊技球揚送装置は、後方部側に傾動した係止部材の後方部が接触することで、後方部側に傾動した係止部材の傾動範囲が規制される規制軸部が逆流防止器具に備えられ、この規制軸部が、ギア軸部と平行に配置されると共に係止軸部よりもリフト部から離れた位置に配置されている。この構成により、ギア本体が逆転しようとする際、後方部側に傾動した係止部材は後方部が規制軸部に接触し、傾動範囲が規制される。したがって、後方部が過度に傾動して係止部材がギア本体から外れることを防止することができる。
【００１８】
本発明に係る遊技球揚送装置は、ラチェットギア部の直径がギア部の直径よりも小さく形成されると共に、爪歯部の数がギア部の歯部の数よりも多く形成されている。この構成により、短い周期で係止部材の前方部がラチェットギア部の歯溝部に係止されてギア本体が逆転することが妨げられる。したがって、効果的に遊技球の逆流を防止することができる。
【００１９】
本発明に係る遊技球揚送装置は、逆流防止器具に複数のギア本体と複数の係止部材とが並列して備えられ、ギア本体と係止部材とがレール部毎に配置されている。この構成により、ギア本体と係止部材とがレール部毎に作動し、遊技球がレール部毎にレール部内で留められる。したがって、効果的に遊技球の逆流を防止することができる。
【００２０】
本発明に係る逆流防止器具は上記した遊技球揚送装置に用いられる。したがって、効果的に遊技球の逆流を防止することができる。
【図面の簡単な説明】
【００２１】
【図１】本発明の実施形態に係る遊技球揚送装置を示した平面透視図である。
【図２】本発明の実施形態に係る遊技球揚送装置を示した側面透視図である。
【図３】本発明の実施形態に係る遊技球揚送装置を示した正面透視図である。
【図４】本発明の実施形態に係る逆流防止器具を示し、（ａ）が平面視した一部透視図、（ｂ）が側面視した透視図、および（ｃ）が正面視した透視図である。
【図５】本発明の実施形態に係る逆流防止器具の動作状態における図４（ｃ）のＡ−Ａ断面を示し、（ａ）がギア本体が回転する際の動作状態図、（ｂ）がギア本体が逆転しようとする際の動作状態図である。
【発明を実施するための形態】
【００２２】
以下に、本発明の実施形態に係る遊技球揚送装置１、および逆流防止器具を図面に基づいて説明する。
【００２３】
なお、本発明において、ギア本体の“回転”とは遊技球が揚送される際のギア本体の動作をいい、ギア本体の“逆転”とは遊技球が逆流しようとする際のギア本体の動作をいう。以下の説明において、本発明の実施形態を理解しやすくするため、“回転”が“正回転”と記され、“逆転”が“逆回転”と示されている（図５参照）。
【００２４】
図１、図２、および図３において、本実施形態に係る遊技球揚送装置１は、回収された遊技球１１をリフト部３に送り出す送出部２、遊技球１１が揚送されるリフト部３、揚送される遊技球１１が逆流することを防ぐための逆流防止器具４、から構成されている。
【００２５】
送出部２は、遊技球１１をリフト部３に送り出すための駆動源となる駆動装置５、駆動装置５に取り付けられた駆動歯車６、ベルトを介して駆動装置５から動力が伝達される主歯車７、主歯車７と同軸に取り付けられたローラ８、ローラ８とで遊技球１１を挟んでリフト部３へ搬送するシュート９、から構成されている。リフト部３は並列した複数のレール部１０から構成されている。逆流防止器具４は送出部２に取り付けられている。なお、その他の構成は一般的な遊技球揚送装置と同様であるため、説明が省略されている。
【００２６】
図４において、逆流防止器具４は、筐体２０、筐体２０に支持されたギア軸部２１と係止軸部２２と規制軸部２３、ギア軸部２１に支持されたギア本体３０、係止軸部２２に支持された係止部材４０、から構成されている。ギア本体３０と係止部材４０とはそれぞれが並列してレール部１０毎に配置されている（図３参照）。
【００２７】
筐体２０はほぼ箱型であり、上面部と両側面部とからほぼコ字状に形成されている。上面部はギア本体３０との接触を避けるための切欠き部２４が前方側（リフト部３に近い方側）の縁に形成されている。両側面部は各軸部２１，２２，２３が互いに平行に取り付けられ、前方側から後方側（リフト部３から離れる方側）に向かう方向に、ギア軸部２１、係止軸部２２、規制軸部２３の順に配置されている。各軸部２１，２２，２３は両側面部を貫通し、両端が例えばスナップリング１３などで留められている。
【００２８】
図４および図５において、ギア本体３０は、平歯車であるギア部３１、ギア部３１の軸方向の側面に形成されたラチェットギア部３３から構成されている。ギア部３１は円周に複数の歯部３２が形成されている。歯部３２間の溝は湾曲し、遊技球１１が支持される程度の幅である。ラチェットギア部３３は直径がギア部３１の直径よりも小さく形成され、円周に複数の爪歯部３４がギア部３３の歯部３２の数よりも多く形成されている。爪歯部３４は、先端が歯先部３５であり基部が歯基部３６である。隣接する爪歯部３４間は歯溝部３７が形成されている。歯先部３５は歯基部３６よりもギア本体３０が逆回転する方向にずれた位置に形成されている（図５（ｂ）参照）。
【００２９】
係止部材４０は横長であり、横長に形成されて対面した一対の被支持板部４１、被支持板部４１の長辺同士を連ねた連接板部４２、一方の被支持板部４１の長辺の縁がほぼ直角に折り曲げられて形成された係止板部４３、から構成されている。係止部材４０は、ギア本体３０が接触されている側が前方部４４であり、係止部材４０の重心が置かれた側が後方部４５であり、重心の位置よりも前方部４４側に、係止軸部２２に支持される被支持部としての被支持孔４８が形成されている。前方部４４は傾動ガイド部４６、係止端部４７から構成されている。傾動ガイド部４６は一方の被支持板部４１の前方端が傾動して形成され、一方係止端部４７は係止板部４３の前方端である。
【００３０】
ギア本体３０と係止部材４０とは、係止部材４０の被支持板部４１間にギア本体３０のギア部３１が配置され、係止部材４０の前方部４４にギア本体３０のラチェットギア部３３が接触して配置されている。係止部材４０同士の間は係止軸部２２を介してスペーサ１４が取り付けられている。係止部材４０の後方部４５側は、筐体２０の上面部と規制軸部２３との間に配置されている。送出部２に取り付けられた逆流防止器具４は、ギア本体３０のギア部３１の歯部３２がリフト部３のレール部１０内に配置されている（図２参照）。
【００３１】
以上のようにして遊技球搬送装置１、および逆流防止器具４が構成されている。次に遊技球搬送装置１、および逆流防止装置４の作用を図面に基づいて説明する。
【００３２】
逆流防止装置４は係止部材４０が係止軸部２２を軸に、重心が置かれた後方部４５側に傾動している。図２において、遊技機（図示せず）からアウトした遊技球１１は、回収されてシュート９およびローラ８によってリフト部３へ搬送される。リフト部３では遊技球１１が揚送され、逆流防止装置４を通過する。
【００３３】
図５において、遊技球１１が揚送される際、ギア本体３０はギア部３１の歯部３２が遊技球１１に押されて正回転する。一方、係止部材４０は傾動ガイド部４６がラチェットギア部３３の爪歯部３４に押されて係止軸部２２を軸に前方部４４側に傾動する。爪歯部３４が傾動ガイド部４６を通過して離れると、ギア本体３０の正回転に伴って前方部４４側に傾動していた係止部材４０は係止軸部２２を軸に後方部４５側に傾動する。ギア本体３０が正回転し続け、係止部材４０は傾動ガイド部４６が次の爪歯部３４に押され、上記した動作を繰り返す。
【００３４】
ローラ８の回転が停止するとリフト部３のレール部１０内を揚送されていた遊技球１１が重力により落下してレール部１０内を逆流しようとする。その際、ギア本体３０はギア部３１の歯部３２が遊技球１１に押されてわずかに逆回転する。一方、逆回転によりラチェットギア部３３の爪歯部３４から押される力が傾動ガイド部４６に作用しなくなった係止部材４０は、係止軸部２２を軸に後方部４５側に傾動すると共に後方部４５が規制軸部２３に接触する。同時に、ラチェットギア部３３の歯溝部３７に係止部材４０の係止端部４７が係止され、ギア本体３０が逆回転することが妨げられる。
【００３５】
ギア本体３０が逆回転することが妨げられることにより、レール部１０内での遊技球１１の通路がギア部３１の歯部によって塞がれ、遊技球１１がレール部１０内で留められる（図２参照）。
【００３６】
次に、本実施形態の効果を説明する。
【００３７】
上記したように、本実施形態によれば逆流防止器具４が、ほぼ箱型に形成された筐体２０の両側面部に、ギア軸部２１、係止軸部２２、および規制軸部２３が互いに平行に取り付けられ、前方側（リフト部３に近い方側）から後方側（リフト部３から離れる方側）に向かう方向に、ギア軸部２１、係止軸部２２、規制軸部２３の順に配置されている。ギア軸部２１はギア本体３０が支持され、係止軸部２２は係止部材４０が支持されている。
【００３８】
ギア本体３０は、平歯車であるギア部３１、ギア部３１の軸方向の側面に形成されたラチェットギア部３３から構成され、ラチェットギア部３３の円周に複数の爪歯部３４が形成されている。ラチェットギア部３３は、爪歯部３４の先端である歯先部３５が爪歯部３４の基部である歯基部３６よりもギア本体３０が逆回転する方向にずれた位置に形成され、隣接する爪歯部３４間に歯溝部３７が形成されている。
【００３９】
係止部材４０は、ギア本体３０が接触されている側が前方部４４であり、係止部材４０の重心が置かれた側が後方部４５であり、重心の位置よりも前方部４４側に形成された支持孔４８を介して係止軸部２２に支持されている。前方部４４は、一方の被支持板部４１の前方端が傾動して形成された傾動ガイド部４６、係止板部４３の前方端である係止端部４７から構成されている。
【００４０】
ギア本体３０と係止部材４０とは、係止部材４０の被支持板部４１間にギア本体３０のギア部３１が配置され、係止部材４０の前方部４４にギア本体３０のラチェットギア部３３が接触して配置されている。リフト部３に取り付けられた逆流防止器具４は、ギア本体３０のギア部３１の歯部３２がリフト部３のレール部１０内に配置されている。
【００４１】
この構成により、ギア本体が逆回転しようとする際、ギア本体３０はギア部３１の歯部３２が遊技球１１に押されてわずかに逆回転する一方、係止部材４０が係止軸部２２を軸に後方部４５側に傾動すると共に、ラチェットギア部３３の歯溝部３７に係止部材４０の係止端部４７が係止され、ギア本体３０が逆回転することが妨げられる。これによりレール部１０内での遊技球１１の通路がギア部３１の歯部によって塞がれ、遊技球１１がレール部１０内で留められる。したがって、効果的に遊技球１１の逆流を防止することができる。
【００４２】
本実施形態によれば、係止部材４０の後方部４５側は、筐体２０の上面部と規制軸部２３との間に配置されている。この構成により、ギア本体３０が逆回転する際、後方部４５側に傾動した係止部材４０は後方部４５が規制軸部２３に接触し、傾動範囲が規制される。したがって、後方部４５側が過度に傾動して係止部材４０がギア本体３０から外れることを防止することができる。
【００４３】
本実施形態によれば、ラチェットギア部３３は直径がギア部３１の直径よりも小さく形成され、円周に複数の爪歯部３４がギア部３３の歯部３２の数よりも多く形成されている。この構成により、短い周期で係止部材４０の前方部４４がラチェットギア部３３の歯溝部３７に係止されてギア本体３０が逆回転することが妨げられる。したがって、効果的に遊技球１１の逆流を防止することができる。
【００４４】
本実施形態によれば、ギア本体３０と係止部材４０とはそれぞれが並列してレール部１０毎に配置されている。この構成により、ギア本体３０と係止部材４０とがレール部１０毎に作動し、遊技球１１がレール部１０毎にレール部内で留められる。したがって、効果的に遊技球の逆流を防止することができる。
【００４５】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４６】
１                遊技球揚送装置
２                送出部
３                リフト部
４                逆流防止器具
５                駆動装置
６                駆動歯車
７                主歯車
８                ローラ
９                シュート
１０              レール部
１１              遊技球
１３              スナップリング
１４              スペーサ
２０              筐体
２１              ギア軸部
２２              係止軸部
２３              規制軸部
２４              切欠き部
３０              ギア本体
３１              ギア部
３２              歯部
３３              ラチェットギア部
３４              爪歯部
３５              歯先部
３６              歯基部
３７              歯溝部
４０              係止部材
４１              被支持板部
４２              連接板部
４３              係止板部
４４              前方部
４５              後方部
４６              傾動ガイド部
４７              係止端部
４８              被支持孔（被支持部）
【図１】
2014213013.tif 000003
【図２】
2014213013.tif 000004
【図３】
2014213013.tif 000005
【図４】
2014213013.tif 000006
【図５】
2014213013.tif 000007